【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
操作用端末を識別する操作用端末ＩＤと表示用端末を識別する表示用端末ＩＤとを関連付ける端末関連付けデータと、表示用端末ＩＤと当該表示用端末によって表示すべきコンテンツを関連付けた表示情報を格納したデータ格納部と、
通信ネットワークを介して操作用端末及び表示用端末とデータ通信するデータ通信処理部と、
操作用端末の認証及びアクセスコントロールを行う制御部とを有し、
前記制御部は、
操作用端末からアクセスがあったとき、前記端末関連付けデータを参照して認証を行い当該操作用端末に関連付けられた表示用端末ＩＤを取得し、
操作用端末から送信されたコマンドに従い、表示すべきコンテンツを、前記取得した表示用端末ＩＤに関連付けて記憶し、
表示用端末から問い合わせがあったとき、当該表示用端末ＩＤに関連付けて記憶されているコンテンツ、またはその参照先を当該表示用端末に送信することを特徴とするコンテンツ表示用サーバ。
【請求項２】
請求項１記載のコンテンツ表示用サーバにおいて、
前記制御部は、端末登録用の画面を介して表示用端末ＩＤと操作用端末の識別情報を受信したとき、当該操作用端末に固有のＩＤを発行し、当該操作用端末に関する前記端末関連付けデータを前記データ格納部に登録することを特徴とするコンテンツ表示用サーバ。
【請求項３】
請求項１記載のコンテンツ表示用サーバにおいて、
前記操作用端末は携帯端末であり、前記通信処理部はインターネットを介して前記操作用端末及び表示用端末とデータ通信することを特徴とするコンテンツ表示用サーバ。
【請求項４】
請求項１記載のコンテンツ表示用サーバにおいて、
前記制御部は画面表示処理部を有し、前記画面表示処理部は、前記操作用端末及び表示用端末のタイプに応じた画像サイズの変更や整形を行うことを特徴とするコンテンツ表示用サーバ。
【請求項５】
請求項１記載のコンテンツ表示用サーバにおいて、
前記データ格納部には、表示用端末ＩＤに関連付けたコンテンツ再生パラメータが格納され、
前記制御部は、操作用端末から送信されたコンテンツ再生パラメータを受信したとき、当該操作用端末のＩＤに関連付けられた表示用端末ＩＤに関連付けられて記憶されているコンテンツ再生パラメータを更新し、表示用端末から問い合わせがあったとき、当該表示用端末のＩＤに関連付けて記憶されているコンテンツ再生パラメータを当該表示用端末に送信することを特徴とするコンテンツ表示用サーバ。
【請求項６】
請求項１記載のコンテンツ表示用サーバにおいて、
前記制御部はコンテンツ検索処理部を有し、
操作用端末から検索・絞込み条件を受信したとき、前記コンテンツ検索処理部は当該条件に従ってコンテンツの検索・絞込みを行い、その結果を前記操作用端末の画面に表示することを特徴とするコンテンツ表示用サーバ。
【請求項７】
請求項１記載のコンテンツ表示用サーバにおいて、
前記データ格納部には、操作用端末あるいは利用者に関連付けられたコンテンツの視聴リストが格納されており、
前記制御部は、
操作用端末から、コンテンツを視聴リストに登録する指示を受信したとき、前記操作用端末あるいは当該操作用端末の利用者に関連付けられた視聴リストに、前記選択されたコンテンツを登録し、
操作用端末から視聴リストを表示する指示を受信したとき、前記操作用端末あるいは当該操作用端末の利用者に関連付けられた視聴リストに含まれるコンテンツ一覧を前記操作用端末の画面に表示することを特徴とするコンテンツ表示用サーバ。
【請求項８】
請求項１記載のコンテンツ表示用サーバにおいて、
前記データ格納部は、映像表示用のコンテンツデータを格納していることを特徴とするコンテンツ表示用サーバ。
【請求項９】
請求項１記載のコンテンツ表示用サーバにおいて、
前記表示用端末ＩＤに関連付けて記憶されているコンテンツとは、前記表示用端末に記憶されているコンテンツあるいは前記表示用端末に接続されたレコーダに記憶されているコンテンツであることを特徴とするコンテンツ表示用サーバ。
【請求項１０】
請求項１記載のコンテンツ表示用サーバにおいて、
前記データ格納部には、映像表示用のコンテンツデータと配信スケジュールが格納され、前記端末関連付けデータには前記操作用端末による操作が有効な回数及び／又は利用終了時刻が登録されていることを特徴とするコンテンツ表示用サーバ。
【請求項１１】
請求項１０記載のコンテンツ表示用サーバにおいて、
前記制御部は、端末登録用の画面を介して表示用端末ＩＤと操作用端末の識別情報を受信したとき、前記端末関連付けデータを参照して当該表示用端末が他の操作用端末に有効に関連付けされているかどうかを判定し、有効な関連付けがされていないとき、前記該操作用端末からのアクセス用ＵＲＬを発行し、操作が有効な回数及び／又は利用終了時刻を含む当該操作用端末に関する端末関連付けデータを前記データ格納部に登録することを特徴とするコンテンツ表示用サーバ。
【請求項１２】
請求項１０記載のコンテンツ表示用サーバにおいて、
前記制御部は、前記操作用端末による操作の回数が前記端末関連付けデータに登録された回数を超えたとき、あるいは登録された利用終了時刻が経過したとき、当該端末関連付けデータを無効化することを特徴とするコンテンツ表示用サーバ。
【請求項１３】
請求項１０記載のコンテンツ表示用サーバにおいて、
コンテンツへのアクセス履歴を保存することを特徴とするコンテンツ表示用サーバ。
【請求項１４】
請求項１記載のコンテンツ表示用サーバにおいて、
前記コンテンツとはウェブページのＵＲＬであることを特徴とするコンテンツ表示用サーバ。
【請求項１５】
請求項１４記載のコンテンツ表示用サーバにおいて、
前記データ格納部には前記操作用端末ＩＤに関連付けられたブックマークリストが格納され、
前記制御部は、操作用端末からウェブページのＵＲＬを受信したとき、同時に受信したコマンドがブックマーク追加のコマンドであったときは当該ＵＲＬを当該操作用端末ＩＤに関連付けられたブックマークリストに追加し、前記コマンドが閲覧のコマンドであったときは当該ＵＲＬを前記取得した表示用端末ＩＤに関連付けて記憶することを特徴とするコンテンツ表示用サーバ。
【請求項１６】
操作用端末を識別する操作用端末ＩＤと表示用端末を識別する表示用端末ＩＤと当該操作用端末によるアクセス用ＵＲＬとを関連付けした端末関連付けデータと、検索サイトのＵＲＬと、表示用端末ＩＤと当該表示用端末に渡すべきキーワードを関連付けしたデータを格納したデータ格納部と、
通信ネットワークを介して操作用端末及び表示用端末とデータ通信するデータ通信処理部と、
操作用端末の認証及びアクセスコントロールを行う制御部とを有し、
前記制御部は、
操作用端末からアクセス用ＵＲＬにアクセスがあったとき、前記端末関連付けデータを参照して認証を行い当該操作用端末に関連付けされた表示用端末ＩＤを取得し、
表示用端末から問い合わせがあったとき、その表示用端末ＩＤに関連付けして記憶されているキーワードと前記検索サイトのＵＲＬを組み合わせて形成される、検索結果表示ウェブページのＵＲＬを当該表示用端末に送信することを特徴とするコンテンツ表示用サーバ。
【請求項１７】
請求項１６記載のコンテンツ表示用サーバにおいて、
前記制御部は、前記アクセス用ＵＲＬにアクセスした操作用端末にキーワード入力画面を送信し、キーワードが入力されたときそのキーワードを前記取得した表示用端末ＩＤに関連付けて記憶することを特徴とするコンテンツ表示用サーバ。